(57)【特許請求の範囲】
【請求項１】
動画像の分割時において、分割する動画像のトータルファイルサイズ、及び現在までの再生ファイルサイズを表示するとともに、分割する動画像のトータルファイルサイズから現在までの再生ファイルサイズを減算し、残りのファイルサイズを取得し表示する手段を備えたことを特徴とする動画レコーダ付きメール端末装置。
【請求項２】
指定されたファイルサイズと、現在までの再生ファイルサイズとの比較を行う手段と、該比較手段の比較結果が、前記現在までの再生ファイルサイズが、前記指定されたファイルサイズになった時点で、分割再生を一時停止する手段とを備え、動画像の分割時に、分割点までのファイルサイズを指定することにより、分割点を決定することを特徴とする動画レコーダ付きメール端末装置。
【発明の詳細な説明】
【０００１】
【発明の属する技術分野】
本発明は、撮影機能を備えた動画レコーダ付きのメール端末におけるメールに添付するために動画を分割する技術に関する。
【０００２】
【従来の技術】
従来の技術について、図面に基づき、以下に説明する。
図８は、従来の撮影機能を備えた動画レコーダ付きメール端末装置の構成の一例を示すブロック図である。
動画レコーダ付きメール端末装置は、ＣＣＤ，ＡＧＣなどを含む画像入力部１０１、ＹＵＶ信号を生成する信号処理部１０２、システム全体を制御するＣＰＵ１０３、ＤＭＡコントローラ１０４、メモリ１０５、キー入力などを扱うユーザインターフェイス（ＩＦ）１０６、画像圧縮／伸張部１０７、圧縮データをメディアに記録し、読み取りする記録読み取り装置１０８、記録媒体１０９、表示部インターフェイス（ＩＦ）１１０、ディスプレイ１１１、携帯／ＰＨＳインターフェイス（ＩＦ）１１２を備えている。
１１３は、メール端末装置に接続される携帯電話／ＰＨＳである。
【０００３】
次に、図８に示す動画レコーダ付きメール端末装置の動作を説明をする。
撮影時においては、ユーザによって、撮影キーが押されると、その情報がＣＰＵ１０３に入力され、入力されたデータに基づいて、撮影が行われる。
まず、撮影された被写体（図示せず）の光信号は、画像入力部１０１に入力され、光電変換されてアナログ映像信号となり、ＡＧＣ等の処理を施され信号処理部１０２へ出力される。
信号処理部１０２に入力にされた映像信号は、Ａ／Ｄ変換され、デジタル信号に変換されるとともに、ガンマ補正、フィルタリング、輪郭強調処理等の処理が施され、Ｙ（輝度），Ｕ（赤の色差），Ｖ（青の色差）信号が生成される。
生成されたＹ，Ｕ，Ｖ信号は、ＤＭＡコントローラ１０４を介して、メモリ１０５に記憶される。
【０００４】
次に、メモリ１０５に記憶されたデジタル映像信号は、ＤＭＡコントローラ１０４を介し、画像圧縮／伸張部１０７に読み出され、圧縮処理される。
これは、ＣＰＵ１０３が、ＤＭＡコントローラ１０４を制御し、画像圧縮／伸張部１０７へ圧縮命令がなされることで行われる。
圧縮処理されたデータは、一旦メモリ１０５に記憶されたあと、記録読み取り装置１０８に送られ、記録媒体１０９に記録される。
この際の制御も、ＣＰＵ１０３により行われ、画像圧縮／伸張部１０７、ＤＭＡコントローラ１０４，記録読み取り装置１０８にて行われる。
記録読み取り装置１０８は、ＣＰＵ１０３へ終了等を通知する。
また、同時に、ＣＰＵ１０３が表示部インターフェイス（ＩＦ）１１０を制御することで、信号処理部１０２より取り込まれたメモリ１０５上の画像は、表示部インターフェイス（ＩＦ）１１０を介して、ディスプレイ１１１に表示される。
表示部インターフェイス１１０は、ＯＳＤＣ（On Screen Display Control）機能を備えており、メモリ１０５上のＯＳＤ表示データ領域に表示したいデータを書き込むことで、ＯＳＤ表示ができる。
【０００５】
次に、図８に示す動画レコーダ付きメール端末装置の再生時の動作を説明をする。
記録媒体１０９に記録されているデータは、記録読み取り装置１０８により読み出され、ＤＭＡコントローラ１０４を介し、メモリ１０５に書き込まれる。
この際の制御も、ＣＰＵ１０３のＤＭＡコントローラ１０４の制御、記録読み取り装置１０８の制御にて行われる。
また、メモリ１０５に書き込まれた圧縮された画像データは、メモリ１０５からＤＭＡコントローラ１０４を介して、画像圧縮／伸張部１０７に送られ、伸張処理され、再びメモリ１０５へ書き込まれる。
【０００６】
次に、メモリ１０５からの伸張された画像データ及びＯＳＤ表示データが、ＤＭＡコントローラ１０４、表示部インターフェース１１０を介し、ディスプレイ１１１に送られ表示される。
次に、図８に示す動画レコーダ付きメール端末装置の動画像の分割処理について説明する。
動画の分割とは、撮影された画像が長い場合に、ユーザがこれを複数のファイルに分割することができる機能である。
まず、ユーザ側からの視点で説明する。
【０００７】
図２は、動画レコーダ付きメール端末装置の外観図で、図８に示す従来例も、後述する本発明のものも共通である。
動画レコーダ付きメール端末装置本体には、上下左右ボタン２０１、シャッターボタン２０２、メニューボタン２０３、ＯＫボタン２０４、ＣＡＮＣＥＬボタン２０５、レンズ２０６、携帯／ＰＨＳ接続コネクタ２０７等が備えられている。
また、図３は、動画レコーダ付きメール端末装置の動画像選択インデックス画面のレイアウト例を示す図で、図８に示す従来例も、後述する本発明のものも共通である。
動画像インデックス３０２、日付、データサイズ等の表示エリア３０３がレイアウトされている。太枠で表示された画像３０１は、そのうち選択された動画像インデックスを示している。
ユーザは分割する動画像を、図３のインデックス画面から選択して（図面では３０１）、さらに図２の動画レコーダ付きメール端末装置の外観図に示すメニューボタン２０３を押すことで、分割選択メニュー画面を起動する。
【０００８】
図４は、動画レコーダ付きメール端末装置の分割選択メニュー画面のレイアウト例を示す図で、図８に示す従来例も、後述する本発明のものも共通である。
この図に示すメニューの中から選択バー４０１により動画分割を選択することにより、分割用の再生が開始される。
図９は、図８に示す従来例の分割再生画面のレイアウト例を示す図である。
画面には、動画像のトータル時間（ＴＴＬ）９０１，動画像の現在の再生時間（ＬＡＰ）９０２，再生中の動画像９０３，実行（ＯＫ）、戻る（ＣＡＮ）等の操作表示９０４が表示されている。
ユーザは、画面上の再生時刻９０２及び映像９０３を見ながら、自分の分割したい部分で、本体のＯＫボタン２０４を押す。これにより、例えば、分割可能な分割点選択画面が表示される。
【０００９】
図１０は、図８に示す従来例の分割点選択画面のレイアウト例を示す図である。
分割可能な分割候補画像１００１（図面では６枚），実行（ＯＫ）、戻る（ＣＡＮ）等の操作表示１００２が表示されている。なお、太枠で表示された画像１００３は選択された分割候補画像を示す。
ユーザは、この中から分割する画像１００３を選択し、本体のＯＫボタン２０４を押す。これにより分割点までの動画ファイル、及び分割点からの動画ファイルの２つのファイルが作成される。
【００１０】
次に、動画レコーダ付きのメール端末装置側の処理について説明する。
ユーザによりメニュー画面から分割が指定されると、ＣＰＵ１０３は、通常再生と同様に、動画の伸張制御を開始する。
まず、記録読み取り装置１０８を介して記録媒体１０９から、圧縮された画像データをＤＭＡコントローラ１０４を使ってメモリ１０５へ送る。これと同時にメモリ１０５に送られたデータを画像圧縮／伸張部１０７へ送り、伸張を開始する。
伸張された画像データは、ＤＭＡコントローラ１０４を介してメモリ１０５へ送られる。また、メモリ１０５上の伸張された画像データは、表示部インターフェイス１１０を介して、ディスプレイ１１１により表示される。
途中で、ＯＫボタン２０４が押されると、ＣＰＵ１０３は再生を一時停止させ、現在再生中のデータの近辺で分割可能な点のデータを、画像圧縮／伸張部１０７に伸張させ、ＯＳＤＣを用いて、図１０のように表示する。
この図１０の画面で、本体のＣＡＮＣＥＬボタン２０５が押された場合には、現在再生中の位置から再度再生を行う。
【００１１】
また、ＯＫボタン２０４が押された場合には、ＣＰＵ１０３は選択された画像のヘッダー情報（ファイルサイズ等）を書き換え、分割点までを、１つのファイルとして記録媒体１０９に保存する。また、分割点よりも後の部分についても、新しくヘッダーを作成して、新しいファイルとして記録媒体１０９に保存する。
次に、メールを添付してメールを送信する手順について説明する。
先ず、ユーザ操作について説明する。
ユーザは携帯電話又はＰＨＳを携帯／ＰＨＳ接続コネクタ２０７に接続し、送信メール作成画面を表示する。
【００１２】
図１１は、図８に示す従来例の送信メール作成画面のレイアウト例を示す図である。
同画面で、宛先登録エリア１１０１、ＣＣ登録エリア１１０２、件名登録エリア１１０３、本文登録エリア１１０５を入力する。
次に、添付エリア１１０４にて、メニューボタン２０３を押すと、メールメニュー画面が表示される。
図１２は、図８に示す従来例のメールメニュー画面のレイアウト例を示す図である。
ここで、添付ファイル選択を選択バー１２０１で選択すると、図３の動画像インデックス画面が表示されるので、添付したいファイルを選択する。
【００１３】
次に、図１２のメニューから登録を選択してメールを登録する。
最後に、メニューから送信を選択して作成されたメールを送信する。
次に、動画レコーダ付きメール端末装置側の動作について説明する。
ユーザよりメール作成が行われると、ＣＰＵ１０３は、宛先登録などをメモリ１０５上に作成する。
また、添付ファイルが選択されると、選択されたファイル名をメモリ上に作成する。
そして登録が行われると、これらデータをファイルとして記録読み取り装置１０８を介して記録媒体１０９に記録する。
ユーザから送信が選択されると、記録読み取り装置１０８を介して、記録媒体１０９から登録したメールデータをメモリ１０５に読み出す。
そして、ＣＰＵ１０３は、これらのデータをプロトコル変換を行い、携帯／ＰＨＳインターフェイス１１２を介して携帯電話／ＰＨＳ１１３に送る。
以上により、メールの送信が行われる。
【００１４】
【発明が解決しようとする課題】
従来においては、上記したように、動画像を分割する際に、ユーザは画像と時刻を見ながら、ファイルの分割を行っていた。
しかし、時刻とファイルサイズは、圧縮率により変化し、必ずしも相関関係がないため、メールに添付する動画をファイルの分割によって作成する場合には、試行錯誤によりファイルサイズを調整して添付する必要があるという問題があった。
本発明は、そのような状況に鑑みてなされたもので、動画像の分割を、簡単な操作で、しかも、正確なファイルサイズで分割することを目的とするものである。
【００１５】
【課題を解決するための手段】
本発明の動画レコーダ付きメール端末装置は、動画像の分割時において、分割する動画像のトータルファイルサイズ、及び現在までの再生ファイルサイズを表示するとともに、分割する動画像のトータルファイルサイズから現在までの再生ファイルサイズを減算し、残りのファイルサイズを取得する機能を備えたものである。
【００１６】
さらに、本発明の動画レコーダ付きメール端末装置は、指定されたファイルサイズと、現在までの再生ファイルサイズとの比較を行う機能を備え、動画像の分割時に分割点までのファイルサイズを指定することにより、分割点を決定するようにしたものである。
【００１７】
【発明の実施の形態】
本発明の実施形態を、図面に基づいて、以下に説明する。
本発明の動画レコーダ付きメール端末装置は、動画像を分割する際に、ユーザが再生を行いながらファイルサイズの認識が行えるように、分割用の再生を行っている最中に、現在までに再生したファイルサイズと、これから再生するファイルサイズを表示するようにしたものである。
図１は、本発明の動画レコーダ付きメール端末装置の一実施例の構成を示すブロック図である。
なお、図８に示した従来例のメール端末装置と共通する構成要素には、同じ符号を付し、詳しい説明は省略する。また、図２に示すメール端末装置の外観、及び図３，図４に示す処理途中の表示画面のレイアウトは共通である。
本実施例に係るメール端末装置は、図８に示す従来例のものに、さらに、データ量演算部１１４が付加されている。
以下、本実施例に係るメール端末装置の動作を、図面により説明する。
【００１８】
先ず、ユーザは、前述した従来例のものと同様に、分割したい動画像を、図３に示す動画選択インデックス画像画面より選択して、本体のメニューボタン２０３を押すと、図４に示すメニュー画面が起動される。
そして、このメニュー画面から動画像分割を選択する。
これを受けて、ＣＰＵ１０３は、記録媒体１０９のセクタから、動画像のトータルファイルサイズ（圧縮された状態のサイズ）情報を読み出し、データ量演算部１１４に出力する。
【００１９】
次に、ＣＰＵ１０３は、ＤＭＡコントローラ１０４を介して記録媒体１０９から、順次、動画像情報を読み取り、メモリ１０５に書き込みながら、画像圧縮／伸張部１０７に対してデータを送る。この際に、ＣＰＵ１０３は、動画像の現在までの再生ファイルサイズ（圧縮された状態のサイズ）を、順次、データ量演算部１１４に出力する。
データ量演算部１１４は、最初に入力された動画像のトータルファイルサイズから、現在までの再生ファイルサイズを引き算し、残りのファイルサイズを取得する。
そして、ＣＰＵ１０３、ＤＭＡコントローラ１０４を介し、これらの動画像のトータルファイルサイズ、動画像の現在までの再生ファイルサイズ、動画像の残りファイルサイズを、ＯＳＤＣに送り、分割再生画面上に表示を行う。
【００２０】
図５は、本実施例による分割再生画面のレイアウト例を示す図である。
画面には、動画像のトータル時間（ＴＴＬ）５０１、動画像の現在の再生時間（ＬＡＰ）５０２、再生中の動画像５０３、実行（ＯＫ）、戻る（ＣＡＮ）等の操作表示５０４は、図９と共通するが、本実施例では、新たに、動画像のトータルファイルサイズ（ＴＳＺ）５０５、動画像の現在までの再生ファイルサイズ（ＬＳＺ）５０６、動画像の残りファイルサイズ（ＲＳＺ）５０７が表示されている。
途中で、ＯＫボタン２０４が押されると、ＣＰＵ１０３は、再生を一時停止させ、現在再生中のデータの近辺で分割可能な点のデータを、画像圧縮／伸張部１０７において伸張させ、ＯＳＤＣを用いて、分割点選択画面に表示する。
【００２１】
図６は、本実施例による分割点選択画面のレイアウト例を示す図である。
画面上の、分割可能な分割候補画像６０１（図面では６枚）、実行（ＯＫ）、戻る（ＣＡＮ）等の操作表示６０２、及び選択された分割候補画像６０３の表示は、図１０に示すものと共通であるが、動画像のトータルファイルサイズ６０３、選択された分割画像までのファイルサイズ６０４、動画像の残りのファイルサイズ６０５も、新たに表示する。
この画面で、ＣＡＮＣＥＬボタン２０５が押された場合には、現在再生中の位置から再度再生を行う。
また、ＯＫボタン２０４が押された場合には、ＣＰＵ１０３は選択された画像のヘッダー情報（ファイルサイズ等）を書き換え、分割点までを１つのファイルとしてに保存する。また分割点よりも後の部分についても、新しくヘッダーを作成して新しいファイルとして記録媒体１０９保存する。
以上、本発明のユーザがファイルサイズを見ながら分割を行う実施例について説明したが、次に、ユーザが分割のファイルサイズを指定すると、自動的に指定されたファイルサイズになった場合に分割を行うか否かをユーザが決定できる別の実施例について説明する。
【００２２】
図７は、本実施例の送信メール作成画面のレイアウト例を示す図である。
ユーザは、この送信メール作成画面のメニューで、選択バー７０１により分割ファイルサイズ指定項目を選択し、サイズを決定する。
画面例では、分割ファイル指定選択バー内に、ファイルサイズとして＜３００Ｋ＞が表示されているが、ユーザは＜＞内の数値を任意に決定できる。また、＜切＞を選択した場合には、ファイル分割のサイズ指定は無効となる。
次に、図３に示す動画インデックス画像画面から分割したい動画像を選択し、図４に示す分割選択メニュー画面から分割を選択する。
ＣＰＵ１０３は、分割再生を制御しながら、指定されたファイルサイズと、現在の再生ファイルサイズの比較を逐次行う。そして、動画像の現在までの再生ファイルサイズが指定されたファイルサイズになった時点で、分割再生を一時停止して、図６の分割点選択画面を表示する。この時、動画像のトータルファイルサイズ６０３、選択された分割点までのファイルサイズ６０４、動画像の残りのファイルサイズ６０５も表示する。
ＯＫボタン２０４が押され、分割点が選択されると、ＣＰＵ１０３は選択された画像のヘッダー情報（ファイルサイズ等）を書き換え、分割点までを１つのファイルとして記録媒体１０９に保存する。また、分割点よりも後の部分についても新しくヘッダーを作成して新しいファイルとして記録媒体１０９に保存する。なお、ＣＡＮＣＥＬボタン２０５が押された場合は、現在再生中の位置から再度再生を行う。
【００２３】
【発明の効果】
本発明の動画レコーダ付きメール端末装置装置によれば、分割する動画像のトータルサイズ、現在までの再生ファイルサイズ、残りのファイルサイズを監視しながら動画を分割することができ、動画像の分割を簡単な操作で、しかも正確なファイルサイズで分割することができる。
さらに、本発明の動画レコーダ付きメール端末装置装置によれば、ユーザが分割するファイルサイズを指定することで、任意のサイズで分割することができ、動画像の分割を簡単な操作で、しかも正確なファイルサイズで分割することができる。
【図面の簡単な説明】
【図１】本発明の動画レコーダ付きメール端末装置の一実施例の構成を示すブロック図である。
【図２】動画レコーダ付きメール端末装置の外観図である。
【図３】動画レコーダ付きメール端末装置における動画像選択インデックス画面のレイアウト例を示す図である。
【図４】動画レコーダ付きメール端末装置におけるメニュー選択画面のレイアウト例を示す図である。
【図５】図１に示す動画レコーダ付きメール端末装置における分割再生画面を示す図である。
【図６】図１に示す動画レコーダ付きメール端末装置における分割点選択画面を示す図である。
【図７】本発明の動画レコーダ付きメール端末装置の別の実施例における送信メール作成画面のレイアウト例を示す図である。
【図８】従来の撮影機能を備えた動画レコーダ付きメール端末装置の構成の一例を示すブロック図である。
【図９】図８に示す従来例における分割再生画面のレイアウト例を示す図である。
【図１０】図８に示す従来例における分割点選択画面のレイアウト例を示す図である。
【図１１】図８に示す従来例におけるメール作成画面のレイアウト例を示す図である。
【図１２】図８に示す従来例におけるメールメニュー画面のレイアウト例を示す図である。
【符号の説明】
１０１…画像入力部、１０２…信号処理部、１０３…ＣＰＵ、１０４…ＤＭＡコントローラ、１０５…メモリ、１０６…ユーザインターフェイス、１０７…画像圧縮／伸張部、１０８…記録読み取り装置、１０９…記録媒体、１１０…表示部ＩＦ、１１１…ディスプレイ、１１２…携帯／ＰＨＳインターフェイス（ＩＦ）、１１３…携帯電話／ＰＨＳ、１１４…データ量演算部、２０１…上下左右ボタン、２０２…シャッターボタン、２０３…メニューボタン、２０４…０Ｋボタン、２０５…ＣＡＮＣＥＬボタン、２０６…レンズ、ＣＣＤ、２０７…携帯／ＰＨＳ接続コネクタ、３０１…選択された動画像インデックス、３０２…動画像インデックス、３０３…日付、データサイズなどの表示エリア、４０１，７０１，１２０１…選択バー、５０１…動画像のトータル時間、５０２…動画像の現在の再生時間、５０３…再生中の動画像、５０４，６０２，１００２…操作指示、５０５…動画像のトータルファイルサイズ、５０６…動画像の現在までの再生ファイルサイズ、５０７…動画像の残りファイルサイズ、６０１，１００１…分割候補画像、６０３，１００３…選択された分割候補画像、６０４…動画像のトータルファイルサイズ、６０５…選択された分割画像までのファイルサイズ、６０６…動画像の残りファイルサイズ、１１０１…宛先登録エリア、１１０２…ＣＣ登録エリア、１１０３…件名登録エリア、１１０４…添付登録エリア、１１０５…本文登録エリア。
【図１】
0004111688.tif 000002
【図２】
0004111688.tif 000003
【図３】
0004111688.tif 000004
【図４】
0004111688.tif 000005
【図５】
0004111688.tif 000006
【図６】
0004111688.tif 000007
【図７】
0004111688.tif 000008
【図８】
0004111688.tif 000009
【図９】
0004111688.tif 000010
【図１０】
0004111688.tif 000011
【図１１】
0004111688.tif 000012
【図１２】
0004111688.tif 000013